(57)【要約】【課題】Ｂｌｕｅｔｏｏｔｈに代表される近距離無線通信において、無線通信装置の使用者がＢｌｕｅｔｏｏｔｈ通信の相手である無線通信装置がどの装置であるかを簡単に特定できるようにする。【解決手段】携帯電話機１の制御部６は、Ｂｌｕｅｔｏｏｔｈテーブル１１のデバイス名１１ａの自動登録として、加入者ＩＤ記憶部４に新しい加入者ＩＤが書き込まれると、それをトリガーとして、新しい加入者ＩＤをＢｌｕｅｔｏｏｔｈテーブル１１のデバイス名１１ａに自動登録する。そして、携帯電話機２０からサーチ信号を受けた時に、携帯電話機１の制御部６は、Ｂｌｕｅｔｏｏｔｈテーブル１１のデバイス名１１ａに登録された情報である加入者ＩＤが携帯電話機２０に送信される。携帯電話機２０は、その情報を表示部に表示することにより、Ｂｌｕｅｔｏｏｔｈ通信の相手装置を簡単に特定できる。【選択図】  図１
2004343219.tif 000002
【特許請求の範囲】
【請求項１】
近距離無線通信手段と、
前記近距離無線通信手段での近距離無線通信において使用されるデバイス名が記憶される記憶手段と、
前記近距離無線通信と異なる処理において使用される加入者ＩＤを登録する加入者ＩＤ登録手段と、
前記加入者ＩＤ登録手段により前記加入者ＩＤが登録された場合、前記加入者ＩＤを前記デバイス名として登録すべく前記記憶手段に記憶させるデバイス名登録手段と
を具備することを特徴とする無線通信装置。
【請求項２】
近距離無線通信は、Ｂｌｕｅｔｏｏｔｈ通信であることを特徴とする請求項１に記載の無線通信装置。
【請求項３】
前記無線通信装置は携帯電話機であり、加入者ＩＤは前記携帯電話機の電話番号であることを特徴とする請求項１に記載の無線通信装置。
【請求項４】
近距離無線通信手段と、
前記近距離無線通信の少なくとも対応サービス情報が記憶される無線情報記憶手段と、
前記近距離無線通信手段を介してサーチ信号を受信した時に、前記無線情報記憶手段に記憶された前記対応サービス情報と前記サーチ信号とを比較し、一致する場合は前記近距離無線通信の相手であることを報知する報知情報を出力する出力手段と
を具備することを特徴とする無線通信装置。
【請求項５】
近距離無線通信機能を有する他の無線通信装置の存在を問い合わせるためのサーチ信号の送信、及び、前記サーチ信号に応答して前記他の無線通信装置から送信されるデバイス名を受信する近距離無線通信手段と、
前記他の無線通信装置の前記近距離無線通信と異なる処理において使用される加入者ＩＤと当該加入者ＩＤの関連情報とを対応付けて記憶する加入者ＩＤ記憶手段と、
前記近距離無線通信手段により受信された前記デバイス名が前記加入者ＩＤ記憶手段に記憶されている前記加入者ＩＤと一致するか否かを判断し、一致すると判断した場合、前記関連情報を表示する表示手段と
を具備することを特徴とする無線通信装置。
【請求項６】
第１の近距離無線通信手段と、前記第１の近距離無線通信手段での近距離無線通信において使用されるデバイス名が記憶される記憶手段と、前記近距離無線通信と異なる処理において使用される加入者ＩＤを登録する加入者ＩＤ登録手段と、前記加入者ＩＤ登録手段により前記加入者ＩＤが登録された場合、前記加入者ＩＤを前記デバイス名として登録すべく前記記憶手段に記憶させるデバイス名登録手段とを具備し、前記第１の近距離無線通信手段は、前記近距離無線通信の機能を有する他の無線通信装置の存在を問い合わせるためのサーチ信号を受信した場合に当該サーチ信号に応答して前記記憶手段に記憶された前記デバイス名を送信する第１の無線通信装置と、
前記サーチ信号の送信、及び、前記サーチ信号に応答して前記第１の無線通信装置から送信される前記デバイス名を受信する第２の近距離無線通信手段と、前記加入者ＩＤと当該加入者ＩＤの関連情報とを対応付けて記憶する加入者ＩＤ記憶手段と、前記第２の近距離無線通信手段により受信された前記デバイス名が前記加入者ＩＤ記憶手段に記憶されている前記加入者ＩＤと一致するか否かを判断し、一致すると判断した場合、前記関連情報を表示する表示手段とを具備する第２の無線通信装置と
からなることを特徴とする近距離無線通信システム。
【請求項７】
第１の近距離無線通信手段を有する第１の無線通信装置と、第２の近距離無線通信手段を有する第２の無線通信装置との間で行われる近距離無線通信のサーチ制御方法であって、
前記第１の近距離無線通信手段にて他の無線通信装置の存在を問い合わせるためのサーチ信号を送信し、
前記第２の近距離無線通信手段にて前記サーチ信号に応答して前記第２の無線通信装置に記憶されているデバイス名を送信し、
送信された前記デバイス名を前記第１の近距離無線通信手段にて受信し、
受信された前記デバイス名が、前記第２の無線通信装置の前記第１の近距離無線通信と異なる処理において使用される加入者ＩＤとして前記第１の無線通信装置に記憶されている場合、前記加入者ＩＤに対応付けて前記第１の無線通信装置に記憶されている関連情報を前記第１の無線通信装置の表示手段に表示する
ことを特徴とする近距離無線通信のサーチ制御方法。
【請求項８】
近距離無線通信は、Ｂｌｕｅｔｏｏｔｈ通信であることを特徴とする請求項７に記載の近距離無線通信のサーチ制御方法。
【請求項９】
前記無線通信装置は携帯電話機であり、加入者ＩＤは前記携帯電話機の電話番号であることを特徴とする請求項７に記載の近距離無線通信のサーチ制御方法。
【発明の詳細な説明】
【０００１】
【発明の属する技術分野】
本発明は、近距離無線通信機能を有する無線通信装置、近距離無線通信システムおよび近距離無線通信のサーチ方法に関するもので、特に、近距離無線通信として知られているＢｌｕｅｔｏｏｔｈ（ＴＭ）に割り当てられるデバイス名等の通信情報の登録および呼び出し制御に関する。
【０００２】
【従来の技術】
近距離無線通信として知られているＢｌｕｅｔｏｏｔｈ（ＴＭ）と呼ばれる通信技法は、家屋やオフィス内の数メートル〜数１０メートル程度の短距離型ワイヤレス接続技術である。
【０００３】
Ｂｌｕｅｔｏｏｔｈ無線通信機能を有する無線通信装置としては、携帯電話機、ＰＤＡ（Ｐｅｒｓｏｎａｌ  Ｄｉｇｉｔａｌ  Ａｓｓｉｓｔａｎｃｅ）、パソコン、テレビ、プリンタ、ハンズフリー通話用ヘッドセット等がある。
【０００４】
それら無線通信装置では、それぞれＢｌｕｅｔｏｏｔｈ搭載装置に固有の識別子ＩＤが割り振られている。そして、無線通信装置同士の接続時においては、互いに識別子ＩＤの送信受信を行っている。
【０００５】
図１２は、従来の無線通信装置の不揮発性メモリに登録されるＢｌｕｅｔｏｏｔｈテーブルを示す。Ｂｌｕｅｔｏｏｔｈテーブル９０は、デバイス名９０ａ、アドレス９０ｂ、機器種別９０ｃ、対応サービス９０ｄ等の各記憶領域から構成される。
【０００６】
デバイス名９０ａは、無線通信装置の使用者が入力キーを用いて自由に書き換えることができ、任意の名前を付けることができる。例えば、図１２のデバイス名９０ａには使用者の名前「鈴木太郎」が書き込まれていることを示している。なお、製造メーカーで無線通信装置が製造されて出荷される時は、このデバイス名９０ａには何も書かれていない。
【０００７】
アドレス９０ｂは、１６進数（４ビット）表示の１２桁の数字であり、図１２では、例えば、「１２３４５６７８９ＡＢＣ」と表わされる。この番号は、同一番号が存在しないように管理された番号である。このアドレス９０ｂは、製造メーカーに割り振られており、無線通信装置の製造時に予め書き込まれ、その後、書き換えることは出来ない。
【０００８】
機器種別９０ｃは、無線通信装置の機器種別を示す、例えば、「携帯電話機」、「ＰＤＡ」、「パソコン」、「テレビ」、「プリンタ」、「ハンズフリー通話用ヘッドセット」等と記録される。
【０００９】
対応サービス９０ｄは、無線通信装置がサポートしているプロファイルを示す、例えば、「ダイヤルアップネットワーキングプロファイル（ＤＵＮ）」、「ＦＡＸプロファイル（ＦＡＸ）」、「ＬＡＮアクセスプロファイル（ＬＡＰ）」、「ファイル転送プロファイル（ＦＴＰ）」等のプロファイル一覧が記録される。これは、Ｂｌｕｅｔｏｏｔｈ通信でのサービスの種類を表わす。
【００１０】
図１３は、従来の無線通信装置が、周辺にＢｌｕｅｔｏｏｔｈ通信が可能な他の無線通信装置があるかどうかをサーチする手順を示したフローチャートである。サーチされて通信相手となる他の無線通信装置をリモートデバイスと呼ぶ。
【００１１】
使用者により、無線通信装置に設けられたサーチボタンが押されると、サーチが行われて、その時点で周辺に存在する１または複数の無線通信装置から、それぞれのＢｌｕｅｔｏｏｔｈテーブル９０をロードしてくる（ステップＳ９１）。次に、そのロードしたＢｌｕｅｔｏｏｔｈテーブル９０の対応サービス９０ｄをチェックして、どのようなサービスを実行できるのかを調べて、通信可能なリモートデバイスを確認する（ステップＳ９２）。
【００１２】
通信可能なリモートデバイスがあれば、１つまたは複数のリモートデバイスの一覧リストを無線通信装置の表示部に表示する。この表示の方法は、先ず、上記したＢｌｕｅｔｏｏｔｈテーブル９０のデバイス名９０ａに記載があるかをチェックする（ステップＳ９３）。デバイス名９０ａに記載があれば、その内容の例えば「鈴木太郎」と表示する（ステップＳ９４）。デバイス名９０ａに記載が無ければ、アドレス９０ｂ、例えば、「１２３４５６７８９ＡＢＣ」を表示する（ステップＳ９５）。
【００１３】
一方、ステップＳ９２において、リモートデバイスが存在しない場合には、「リモートデバイス無し」と表示する（ステップＳ９６）。以上で、サーチ手順は終了する（ステップＳ９７）。
【００１４】
この後、使用者は、この表示部に表示された一覧リストからＢｌｕｅｔｏｏｔｈ通信したい相手を選択して、Ｂｌｕｅｔｏｏｔｈ通信の接続手順を行う。
【００１５】
リモートデバイスをサーチする他の従来の技術として、Ｂｌｕｅｔｏｏｔｈ通信を行う通信システム等がある（例えば、特許文献１参照。）。
【００１６】
この通信システムにあっては、ホスト装置と無線通信装置との間でＢｌｕｅｔｏｏｔｈ通信が行われる。この無線通信装置は、多機能であり、コンピュータ、ＰＤＡ、あるいは携帯電話機としても動作が可能な装置である。ホスト装置は、無線通信装置の多機能の種別を表わす属性情報を書き換えて、所定の機能で通信を行うことができる。
【００１７】
【特許文献１】
特開２００３−７８９６６号公報（第３−４頁、図１）
【００１８】
【発明が解決しようとする課題】
ところで、図１２〜図１３に示した従来の装置においては、リモートデバイス側の使用者は、デバイス名９０ａの登録を意図的又は登録忘れなどにより行わないことがある。その場合、このリモートデバイスをサーチした無線通信装置側の一覧リストには、リモートデバイスのデバイス名９０ａではなくアドレス９０ｂが表示される。
【００１９】
このアドレス９０ｂは、１６進数（４ビット）で１２桁の数字であり、例えば、「１２３４５６７８９ＡＢＣ」と表示部に表示されることから、その番号を見ても周辺のどの機種が該当しているのか判断することは非常にむずかしい。
【００２０】
また、特許文献１に示した従来の装置においては、使用者がリモートデバイスを特定するための技術について、記載がない。
【００２１】
本発明は、上記の問題点を解決するためになされたもので、サーチする側の無線通信装置からサーチを受けるリモートデバイス側の無線通信装置を容易に特定することができる無線通信装置、近距離無線通信システムおよび近距離無線通信のサーチ方法を提供することを目的とする。
【００２２】
【課題を解決するための手段】
上記目的を達成するために、本発明の無線通信装置は、近距離無線通信手段と、前記近距離無線通信手段での近距離無線通信において使用されるデバイス名が記憶される記憶手段と、前記近距離無線通信と異なる処理において使用される加入者ＩＤを登録する加入者ＩＤ登録手段と、前記加入者ＩＤ登録手段により前記加入者ＩＤが登録された場合、前記加入者ＩＤを前記デバイス名として登録すべく前記記憶手段に記憶させるデバイス名登録手段とを具備することを特徴とする。
【００２３】
【発明の実施の形態】
以下、本発明の実施の形態を、図面を参照して説明する。
【００２４】
図１〜図１１は、本発明を携帯電話機に適用した場合の各実施の形態を示し、図１は近距離無線通信として知られているＢｌｕｅｔｏｏｔｈ通信のシステム図、および携帯電話機のブロック図を示す。図２〜図４は第１の実施の形態を示し、図５は第２の実施の形態を示し、図６〜図１０は第３の実施の形態を示し、図１１は第４の実施の形態を示す。
【００２５】
図１は、近距離無線通信として知られているＢｌｕｅｔｏｏｔｈ通信のシステム図を示し、携帯電話機１および携帯電話機２０は、Ｂｌｕｅｔｏｏｔｈ通信機能を有する無線通信装置である。
【００２６】
図１は、また、本発明を適用した携帯電話機１のブロック図を示すもので、携帯電話機１の主要部は、アンテナ２、携帯電話無線部３、加入者ＩＤ記憶部４、電話帳テーブル５、制御部６、キー入力部７、ＬＣＤ８、アンテナ９、Ｂｌｕｅｔｏｏｔｈ無線部１０、Ｂｌｕｅｔｏｏｔｈテーブル１１、装置情報記憶部１２等から構成されている。なお、携帯電話機２０のＢｌｕｅｔｏｏｔｈテーブル１１０は、第２の実施の形態に使用されるものである。
【００２７】
携帯電話網による電話通信は、アンテナ２によって携帯電話用の無線信号の送信受信が行われる。携帯電話無線部３は、アンテナ２と接続され無線信号の変調復調等の処理を行う。
【００２８】
加入者ＩＤ記憶部４は、電話番号等の加入者ＩＤが書き込まれる不揮発性メモリである。この加入者ＩＤは、使用者が携帯電話機１を購入した時に、事業者への加入契約において、購入店等に備え付けの登録機により図示しないインターフェースから制御部６の加入者ＩＤ登録手段を介して書き込まれる。
【００２９】
また、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）方式の携帯電話機では、ＳＩＭ（Ｓｕｂｓｃｒｉｂｅｒ  Ｉｄｅｎｔｉｆｉｃａｔｉｏｎ  Ｍｏｄｕｌｅ）カードが加入者ＩＤ記憶部４に該当する。この携帯電話機でも、利用者が事業者への加入契約時に、購入店等に備え付けの登録機によりＳＩＭカードに加入者ＩＤ（電話番号等）が書き込まれる。加入者ＩＤ記憶部４であるＳＩＭカードは、携帯電話機１の本体に取り付け又は取り外しされながら使用される。
【００３０】
電話帳テーブル５は、使用者が加入者通信の通信相手の氏名や電話番号を登録する不揮発性メモリである。上記したＳＩＭカードの場合は、ＳＩＭカードの中に電話帳の記憶部を合わせ持つ。
【００３１】
制御部６は、ＣＰＵ、プログラムＲＯＭ、ワーキングＲＡＭ、Ｉ／Ｏ部等から構成されており、携帯電話機１の全体の制御を行う。
【００３２】
キー入力部７は、使用者が携帯電話機１の操作を行う入力手段である。ＬＣＤ８は、携帯電話機１の操作に必要な画面を表示する表示手段である。
【００３３】
Ｂｌｕｅｔｏｏｔｈ無線部１０は、Ｂｌｕｅｔｏｏｔｈ通信無線信号の変調復調等の処理を行う。Ｂｌｕｅｔｏｏｔｈ通信は、アンテナ９を介してＢｌｕｅｔｏｏｔｈ無線部１０と携帯電話機２０との間で、上記無線信号の送信受信が行われる。
【００３４】
Ｂｌｕｅｔｏｏｔｈテーブル１１は、無線情報を記憶するものであって、携帯電話機１に割り当てらたＢｌｕｅｔｏｏｔｈアドレス等が記録された不揮発性メモリである。
【００３５】
装置情報記憶部１２は、携帯電話機１の特徴を表わす装置情報として、メーカー名、装置名称、型名等の詳細な製品情報のテキストデータ（例えば、「携帯電話機Ａ社製ＸＹＺ」）が記憶されている。また、携帯電話機１の外観形状を詳しく表す製品情報の画像データが記憶されている。
【００３６】
（第１の実施の形態）
図１に示した無線通信装置の構成において、携帯電話機２０が周辺にＢｌｕｅｔｏｏｔｈ通信が可能な無線通信装置があるかどうかをサーチし、携帯電話機１をサーチしてリモートデバイスとして設定する第１の実施の形態について、以下、図２〜図４を参照して説明する。
【００３７】
図２は、携帯電話機１のＢｌｕｅｔｏｏｔｈテーブル１１の構成図である。図３は、携帯電話機１におけるＢｌｕｅｔｏｏｔｈテーブル１１へのデバイス名登録の手順を示すフローチャートである。図４は、携帯電話機２０が、周辺にＢｌｕｅｔｏｏｔｈ通信可能な装置が存在するかを調べるための、サーチ動作の手順を示すフローチャートである。
【００３８】
図２は、Ｂｌｕｅｔｏｏｔｈテーブル１１に記憶される無線情報の具体的な構成を示し、デバイス名１１ａ、アドレス１１ｂ、機器種別１１ｃ、対応サービス１１ｄ等から構成される。
【００３９】
デバイス名１１ａは、製造メーカーからの出荷時には何も書き込まれていない。このデバイス名１１ａには、後述するように自動処理によってデバイスを識別する情報が書き込まれる。また、自動処理によって書き込まれた後も、使用者が携帯電話機１のキー入力部７を操作して任意の名前に変更することができる。
【００４０】
アドレス１１ｂは、１６進数（４ビット）で１２桁の数字であり、例えば、「１２３４５６７８９ＡＢＣ」と表わされる。このアドレス１１ｂの番号は、同一番号が存在しないように製造メーカーに割り振られて、管理される番号である。そして、携帯電話機の製造時にその番号が書き込まれる。このアドレス１１ｂの番号は、その後、書き換えることが出来ない。
【００４１】
機器種別１１ｃは、無線通信装置の機器種別を示すもので、製造メーカによって書き込まれる。この例では、「携帯電話機」と書き込まれている。この機種種別１１ｃのデータは、その後、書き換えることが出来ない。
【００４２】
対応サービス１１ｄは、無線通信装置である携帯電話機１がサポートしているＢｌｕｅｔｏｏｔｈでのサービスの種類を表わすプロファイル一覧が記録される。例えば、サービスの種類として「ダイヤルアップネットワーキングプロファイル（ＤＵＮ）」、「ＦＡＸプロファイル（ＦＡＸ）」、「ＬＡＮアクセスプロファイル（ＬＡＰ）」、「ファイル転送プロファイル（ＦＴＰ）」等が書き込まれている。この対応サービス１１ｄのデータも、その後、書き換えることが出来ない。
【００４３】
次に、図３のフローチャートも用いて携帯電話機１の、Ｂｌｕｅｔｏｏｔｈテーブル１１へのデバイス名登録について説明する。
【００４４】
まず、制御部６は、デバイス名の自動登録動作に入る（ステップＳ１）。制御部６は、加入者ＩＤ記憶部４に新しい加入者ＩＤが書き込まれたか否かをチェックする（ステップＳ２）。このステップＳ２での「ＹＥＳ」は次のことを意味する。すなわち、携帯電話機１の加入者ＩＤの新規登録時に加入者ＩＤが加入者ＩＤ記憶部４に書き込まれる、または、携帯電話機１の変更登録時に新しい加入者ＩＤが加入者ＩＤ記憶部４に書き込まれる、または、新しいＳＩＭカードが携帯電話機１に挿入される、または、異なる加入者ＩＤを有するＳＩＭカードが携帯電話機１に挿入されることを意味する。
【００４５】
一旦、加入者ＩＤ記憶部４に加入者ＩＤが書き込まれて、同じ加入者ＩＤが使用されている状態においては、次回のステップＳ２における判断は、「ＮＯ」となる。
【００４６】
このステップＳ２において「ＹＥＳ」であれば、これをトリガーとして、新しい加入者ＩＤ（例えば、電話番号「０９０−１２３４−５６７８」）をＢｌｕｅｔｏｏｔｈデーブル１１のデバイス名１１ａに書き込む（ステップＳ３）。
【００４７】
ステップＳ２において、「ＮＯ」の場合は、制御部６は、デバイス名１１ａを読み取って、情報が書き込まれているか否かをチェックする（ステップＳ４）。すでに、情報が書き込まれている場合（ステップＳ４がＹＥＳ）、手動登録へ進む（ステップＳ６）。
【００４８】
デバイス名１１ａに何も書き込まれていない場合（ステップＳ４がＮＯ）、制御部６は、装置情報記憶部１２の情報を読み取って、Ｂｌｕｅｔｏｏｔｈテーブル１１のデバイス名１１ａに書き込む（ステップＳ５）。この例では、携帯電話機１の製造メーカによって記録された「携帯電話機Ａ社製ＸＹＺ」がデバイス名１１ａに書き込まれる。パソコン、テレビ、プリンタ、ハンズフリー通話用ヘッドセット等のＢｌｕｅｔｏｏｔｈ無線通信装置等に適用する場合は、それらの装置の装置情報として、例えば、「（製品名）Ｂ社製ＬＭＮ」が書き込まれる。その後、手動登録へ進む（ステップＳ６）。
【００４９】
手動登録では、制御部６は、キー入力部７からのデバイス名登録コマンドをチェックする（ステップＳ７）。ステップＳ７がＹＥＳの場合、キー入力部７からの入力に従ってデバイス名１１ａに使用者の名前（例えば「鈴木太郎」）が書き込まれる（ステップＳ８）。デバイス名１１ａは、使用者の名前に限らず、使用者によって自由な名前を設定することが可能である。以上で、デバイス名登録動作を終了する（ステップＳ９）。
【００５０】
なお、自動登録でのデバイス名１１ａへの書き込みは、加入者ＩＤのみの書き込みであってもよい。この場合は、装置情報記憶部１２を設ける必要はない。
【００５１】
または、加入者ＩＤの書き込みと、装置情報の書き込みは、どちらかを先に優先しても良い。
【００５２】
以上の動作により、Ｂｌｕｅｔｏｏｔｈテーブル１１のデバイス名１１ａには、使用者が書き込みを忘れたり、または意図的に書き込まない場合であっても、携帯電話機１が自動で、加入者ＩＤ記憶部４に記憶される加入者ＩＤ（例えば、電話番号「０９０−１２３４−５６７８」）や、装置情報記憶部１２に記憶される装置情報（例えば、「携帯電話機Ａ社製ＸＹＺ」）が書き込まれる。これにより、Ｂｌｕｅｔｏｏｔｈ通信時に交信されるデバイス名１１ａには、どのような無線通信装置であるかが識別できる情報が常に記憶されることになる。
【００５３】
なお、装置情報のデータ量が多く、デバイス名１１ａに書き込めない場合には、携帯電話機１にデバイス名１１ａの容量を大きくするモードを設けてもよい。
【００５４】
次に、図４を参照して、携帯電話機１のＢｌｕｅｔｏｏｔｈテーブル１１に記憶されたデータを携帯電話機２０へ送信する動作について説明する。
【００５５】
先ず、携帯電話機２０からＢｌｕｅｔｏｏｔｈ通信可能な無線通信装置が存在するかを調べるために、サーチ信号が周辺の装置に向かって送信される（ステップＳ１１）。携帯電話機１の制御部６は、アンテナ９、Ｂｌｕｅｔｏｏｔｈ無線部１０を経由して、このサーチ信号を受信する。そして、制御部６は、サーチ信号を受信するとＢｌｕｅｔｏｏｔｈ無線部１０、アンテナ９を経由して、送信元の携帯電話機２０へ向かってＢｌｕｅｔｏｏｔｈテーブル１１に記憶されているデータを送信する。
【００５６】
携帯電話機２０の制御部（図示せず）は、携帯電話機１から送信されたＢｌｕｅｔｏｏｔｈテーブル１１の情報を受信すると、上記データに含まれている対応サービス１１ｄの内容と携帯電話機２０が有する対応サービスとを比較して、同じサービスが有るか否かをチェックする。例えば、携帯電話機２０が「ファイル転送プロファイル（ＦＴＰ）」対応サービスを有しているとすると、携帯電話機１から送信された対応サービス１１ｄの内容に同じ「ファイル転送プロファイル（ＦＴＰ）」対応サービスが有るか否かをチェックして、Ｂｌｕｅｔｏｏｔｈ通信可能なリモートデバイスであるかを確認する（ステップＳ１２）。
【００５７】
同様に、携帯電話機２０の表示部（図示せず）には、サーチされたＢｌｕｅｔｏｏｔｈ通信可能なリモートデバイスの一覧リストが表示される。この一覧リスト中の携帯電話機１に関する表示を以下に説明する。
【００５８】
次に、携帯電話機２０の制御部は、携帯電話機１からアップロードしてきたＢｌｕｅｔｏｏｔｈテーブル１１のデバイス名１１ａの内容をチェックする（ステップＳ１３）。即ち、このデバイス名１１ａに何か内容が記載されていれば、その内容を携帯電話機２０の表示部に表示する（ステップＳ１４）。例えば、図３に示したケースでは、ステップＳ３で自動的に書き込まれた携帯電話機１の加入者ＩＤ（電話番号「０９０−１２３４−５６７８」）、または、ステップＳ５で自動的に書き込まれた装置情報（「携帯電話機Ａ社製ＸＹＺ」）、または、ステップＳ８で使用者によりキー入力された名前（「鈴木太郎」）のいずれかの情報が表示部に表示される。
【００５９】
一方、ステップＳ１３で、デバイス名１１ａに何も記載されていなければ、製造時に書き込まれたアドレス１１ｂの内容（「１２３４５６７８９ＡＢＣ」）がそのまま表示される（ステップＳ１５）。
【００６０】
本発明の第１の実施の形態によれば、Ｂｌｕｅｔｏｏｔｈ通信時に交信されるデバイス名１１ａには、どのような無線通信装置であるかが識別できる情報が常に記憶されることから、Ｂｌｕｅｔｏｏｔｈ通信が可能な携帯電話機１の存在を容易に見つけることができる。
【００６１】
なお、第１の実施の形態は、携帯電話機に限らず、ＰＤＡ、ＰＨＳ、ＩＰＳ電話機、固定電話機等の無線通信装置や、パソコン、テレビ、プリンタ、ハンズフリー通話用ヘッドセット等の無線通信装置にも適用できる。
【００６２】
（第２の実施の形態）
次に、図５を参照して、Ｂｌｕｅｔｏｏｔｈ通信における携帯電話機のサーチ方法に関する第２の実施の形態を説明する。
【００６３】
この第２の実施の形態におけるハードウェア構成については、図１および図２と同じである。また、携帯電話機２０は、図１に示した携帯電話機１と同じ構成および機能を有するものとして説明する。
【００６４】
即ち、携帯電話機２０にもＢｌｕｅｔｏｏｔｈテーブル１１０が設けられ、そのデバイス名１１０ａには、携帯電話機２０の使用者が書き込んだ任意のデバイス名、又は加入者ＩＤ（例えば、携帯電話機２０の電話番号）のいずれかが書き込まれている。
【００６５】
なお、この第２の実施の形態では、携帯電話機１がＢｌｕｅｔｏｏｔｈ通信元となり、携帯電話機２０がサーチされる無線通信装置であるとしている。
【００６６】
先ず、携帯電話機１の使用者からキー入力部７を用いてサーチ操作が行われると、携帯電話機１の制御部６はサーチ信号を周辺の機器に対して送信する（ステップＳ２１）。すると、そのサーチ信号を受信した携帯電話機２０からＢｌｕｅｔｏｏｔｈテーブル１１０の情報が携帯電話機１に向かって送信される。携帯電話機１は、アンテナ９、Ｂｌｕｅｔｏｏｔｈ無線部１０を経由して、携帯電話機２０からアップロードされたＢｌｕｅｔｏｏｔｈテーブル１１０の情報を受信する。そして、制御部６は、このＢｌｕｅｔｏｏｔｈテーブル１１０の対応サービス１１０ｄをチェックして、Ｂｌｕｅｔｏｏｔｈ通信可能なリモートデバイスであることを確認する（ステップＳ２２）。もしも、リモートデバイスとなる無線通信装置が存在しなければ、ＬＣＤ８に「リモートデバイス無し」と表示して（ステップＳ２９）、処理を終了する（ステップＳ３０）。
【００６７】
ステップＳ２２で、Ｂｌｕｅｔｏｏｔｈ通信可能なリモートデバイスがあると確認した場合、それらのリモートデバイスを一覧リストとしてＬＣＤ８に表示する。そして、一覧リストに表示されたリモートデバイスから携帯電話機２０が選択されると、制御部６はアップロードした情報に含まれるデバイス名１１０ａに記載があるかをチェックする（ステップＳ２３）。このデバイス名１１０ａには、自動で書き込まれた携帯電話機１の加入者ＩＤ（例えば、電話番号「０９０−１２３４−２２２２」）、または、携帯電話機２０の使用者により手動で書き込まれた名前（例えば、「鈴木花子」）が書き込まれている。
【００６８】
次に、ステップＳ２３で、デバイス名１１０ａに記載がある場合、制御部６はそのデバイス名１１０ａが電話番号であるかどうかをチェックする（ステップＳ２４）。そして、電話番号であれば、制御部６は電話帳テーブル５の中に当該電話番号が登録されているかをチェックする（ステップＳ２５）。当該電話番号が登録されていれば、制御部６は電話帳テーブル５からその登録名を読み出し、ＬＣＤ８に表示する（ステップＳ２６）。その一例として、デバイス名１１ａに電話番号「０９０−１２３４−２２２２」が登録され、電話帳テーブル５の当該電話番号に対応して「花ちゃん」の登録名が登録されていたとすると、ＬＣＤ８には「花ちゃん」が表示されることになる。
【００６９】
一方、ステップＳ２４で、デバイス名１１０ａが電話番号ではない場合は、制御部６は、上記アップロードした情報に含まれるデバイス名に記録された内容そのもの（例えば、使用者の名前「鈴木花子」）をＬＣＤ８に表示する。また、ステップＳ２５で、電話帳テーブル６に電話番号が登録されていない場合、制御部６は、そのデバイス名１１０ａに記録されている電話番号（例えば、「０９０−１２３４−２２２２」）をＬＣＤ８に表示する（ステップＳ２７）。
【００７０】
また、ステップＳ２３で、デバイス名１１０ａに何も記録されていなない場合は、制御部６は、上記アップロードした情報に含まれるアドレス１１０ｂに記録されている携帯電話機２０リモートデバイスのアドレス（例えば、「１Ａ２Ｃ３Ｆ４５６７８９」）をＬＣＤ８に表示する（ステップＳ２８）。
【００７１】
上述したように、第２の実施の形態によれば、リモートデバイスのデバイス名が電話番号であり、且つ、その電話番号が電話帳テーブル５に登録されているものであれば、携帯電話機１に登録されている登録名（この例では、「花ちゃん」）が、サーチ結果としてＬＣＤ８に表示される。これにより、使用者は、サーチして見つかったＢｌｕｅｔｏｏｔｈ通信可能なリモートデバイスが何であるかをすぐに理解することができる。
【００７２】
なお、電話帳テーブル５に「花ちゃん」という文字情報の代わりにアニメーション等の画像情報が登録してある場合には、その画像情報を表示しても同様の効果が得られる。
【００７３】
また、第２の実施の形態は、携帯電話機に限定されず、相手電話番号を登録した電話帳テーブルを有する無線通信装置に適用されるものであり、例えば、電話番号帳を有する電子手帳等のＢｌｕｅｔｏｏｔｈ対応の無線通信装置にも適用できる。
【００７４】
（第３の実施の形態）
次に、Ｂｌｕｅｔｏｏｔｈ通信における無線通信装置のサーチ方法に関する第３の実施の形態を説明する。
【００７５】
図６〜図１０は、本発明を携帯電話機に適用した第３の実施の形態を説明するための図である。図６は、携帯電話機２１の主要部のブロック図である。図７は、携帯電話機４０のＢｌｕｅｔｏｏｔｈテーブル４１の構成図である。図８は、携帯電話機４０の製品特徴を表わすイメージ図である。図９は、サーチ信号を受信した携帯電話機４０の動作手順を示したフローチャートである。図１０は、携帯電話機２１が、周辺にＢｌｕｅｔｏｏｔｈ通信可能な無線通信装置が存在するかを調べるためのサーチ手順を示したフローチャートである。
【００７６】
図６に示す携帯電話機２１の構成は、図１に示す携帯電話機１の構成と同じ構成、同じ機能であることから、その説明は省略する。
【００７７】
図７は、携帯電話機２１によってサーチされる側の携帯電話機４０のＢｌｕｅｔｏｏｔｈテーブル４１の構成を示す。図２に示すＢｌｕｅｔｏｏｔｈテーブル１１との相違点は、デバイス名４１ａの内容である。このデバイス名４１ａには、製品出荷時の初期値としては、何も書き込まれていない。即ち、デバイス名４１ａには、携帯電話機４０の使用者により、手動操作によって任意の名前等が書き込むことが出来る。
【００７８】
図９は、携帯電話機４０の動作を示すフローチャートである。携帯電話機４０は、携帯電話機２１からサーチ信号が送信されていないかをチェックする（ステップＳ３１）。そして、サーチ信号を受信すると、携帯電話機４０はＢｌｕｅｔｏｏｔｈテーブル４１の情報を携帯電話機２１に向かって送信する（ステップＳ３２）。
【００７９】
次に、携帯電話機４０は、携帯電話機２１に向かって画像データを送信するための伝送手順を実行する（ステップＳ３３）。更に、携帯電話機４０は、装置情報記憶部４２に記憶されている製品情報等の画像データを携帯電話機２１へ送信する（ステップＳ３４）。
【００８０】
図１０は、携帯電話機２１の動作を示すフローチャートである。携帯電話機２１の使用者により、キー入力部２７を用いてＢｌｕｅｔｏｏｔｈ通信可能な無線通信装置を探すためにサーチ操作が行われる。すると、携帯電話機２１の制御部２６は、サーチ信号をＢｌｕｅｔｏｏｔｈ無線部３０、アンテナ２９を経由して周辺の装置に送信する（ステップＳ４１）。そして、携帯電話機４０からＢｌｕｅｔｏｏｔｈテーブル４１の情報がアップロードされると、制御部２６はアンテナ２９、Ｂｌｕｅｔｏｏｔｈ無線部３０を経由して受信する。更に、制御部２６は、上記アップロードされた情報に含まれる対応サービス４１ｄをチェックして、Ｂｌｕｅｔｏｏｔｈ通信可能なリモートデバイスであるか否かを確認する（ステップＳ４２）。
【００８１】
このステップＳ４２で、リモートデバイスとなる無線通信装置が存在しなければ、制御部２６はＬＣＤ２８に「リモートデバイス無し」と表示して（ステップＳ４９）、処理を終了する（ステップＳ５０）。
【００８２】
一方、ステップＳ４２で、Ｂｌｕｅｔｏｏｔｈ通信可能なリモートデバイスとなる無線通信装置が存在する場合、制御部２６はその一覧リストをＬＣＤ２８に表示する。この一覧リスト中から携帯電話機４０が選択された場合のＢｌｕｅｔｏｏｔｈ通信について説明する。
【００８３】
制御部２６は、次に携帯電話機４０から画像データの送信手順（図９のステップＳ３３の動作による）が送信されているか否かをチェックする（ステップＳ４３）。このステップＳ４３で、画像データの送信手順を携帯電話機４０から受信した場合、制御部２６は携帯電話機４０の装置情報記憶部４２から送信される製品情報等の画像データを受信し（ステップＳ４４）、その画像データをＬＣＤ２８に表示する（ステップＳ４５）。この結果、ＬＣＤ２８には、図８に示す画像データが表示されることから、Ｂｌｕｅｔｏｏｔｈ通信を行う相手装置のイメージが目視することが出来る。
【００８４】
もしも、ステップＳ４３において、画像データの送信手順が受信されない場合には、図４のステップＳ１３〜Ｓ１５と同じステップＳ４６〜ステップＳ４８を実行して終了する。
【００８５】
上述した第３の実施の形態によれば、無線通信装置同士間でサーチが行われた時に、サーチ側の無線通信装置２１の表示部にリモートデバイス側の製品情報画像データが表示される。しかも、簡単なロゴマーク等と異なり、リモートデバイスの外形特徴を詳しく表すイメージ図が表示される。
【００８６】
従って、サーチ側の使用者は、この画像データを見ることにより、Ｂｌｕｅｔｏｏｔｈ通信の通信相手が携帯電話機４０であるということが容易に判断することが出来る。
【００８７】
なお、第３の実施の形態は、携帯電話機に限らず、パソコン、テレビ、プリンタ、ハンズフリー通話用ヘッドセット等の無線通信装置にも適用できる。
【００８８】
（第４の実施の形態）
次に、本発明の第４の実施の形態について、図１１を用いて説明する。この第４の実施の形態では、例えば図１の携帯電話機１が携帯電話機２０からサーチ信号を受信した時に、制御部６がＢｌｕｅｔｏｏｔｈテーブル１１の対応サービス１１ｄをチェックして、その対応サービスが一致する場合に、携帯電話機１からＢｌｕｅｔｏｏｔｈ通信の対象機器であることを報知できる機構が携帯電話機１に設けられている。
【００８９】
同様に、図６の携帯電話機４０が携帯電話機２１からサーチ信号を受信した時に、携帯電話機４０がＢｌｕｅｔｏｏｔｈテーブル４１の対応サービス４１ｄをチェックして、その対応サービスが一致する場合に、携帯電話機４０からＢｌｕｅｔｏｏｔｈ通信の対象装置であることを報知できる機構が携帯電話機４０に設けられている。
【００９０】
図１１は、第４の実施の形態における携帯電話機１（又は４０）の動作を示すフローチャートである。携帯電話機１（又は４０）の制御部６は、携帯電話機２０（又は２１）からのサーチ信号をチェックする（ステップＳ６１）。そして、Ｂｌｕｅｔｏｏｔｈテーブル１１（又は４１）に登録されている対応サービス１１ｄ（又は４１ｄ）がそのサーチ信号と一致する場合、制御部６は携帯電話機１（又は４０）がＢｌｕｅｔｏｏｔｈ通信の相手装置であることを報知するためにＬＣＤ８の表示を点滅させる（ステップＳ６２）。
【００９１】
従って、無線通信装置２０（又は２１）の使用者は、周辺を見回して、表示部が点滅している携帯電話機１（又は４０）を簡単に見つけることができる。
【００９２】
なお、報知手段としては、ＬＣＤ８の点滅に限らず、図示しないＬＥＤの点滅、図示しないスピーカによる音又は音声出力等であっても良い。
【００９３】
【発明の効果】
このように、本発明によれば、Ｂｌｕｅｔｏｏｔｈ通信に代表される近距離無線通信において、サーチする側の無線通信装置の使用者は、サーチを受けるリモートデバイス側の無線通信装置を簡単に特定することができる。
【図面の簡単な説明】
【図１】本発明を携帯電話機に適用したもので、近距離無線通信として知られているＢｌｕｅｔｏｏｔｈ通信のシステム図、および携帯電話機のブロック図。
【図２】本発明の第１の実施の形態における、Ｂｌｕｅｔｏｏｔｈテーブルの構成図。
【図３】本発明の第１の実施の形態における、携帯電話機へデバイス名を登録する動作を示すフローチャート。
【図４】本発明の第１の実施の形態における、携帯電話機が周辺の装置とＢｌｕｅｔｏｏｔｈ通信する際のサーチ動作の手順を示すフローチャート。
【図５】本発明の第２の実施の形態における、携帯電話機が周辺の装置とＢｌｕｅｔｏｏｔｈ通信する際のサーチ動作の手順を示すフローチャート。
【図６】本発明の第３の実施の形態における、携帯電話機の構成を示すブロック図。
【図７】本発明の第３の実施の形態における、Ｂｌｕｅｔｏｏｔｈテーブルの構成図。
【図８】本発明の第３の実施の形態における、携帯電話機の画像データの表示を示す図。
【図９】本発明の第３の実施の形態における、サーチを受けた携帯電話機が画像データを送信する動作の手順を示すフローチャート。
【図１０】本発明の第３の実施の形態における、携帯電話機が周辺の装置とＢｌｕｅｔｏｏｔｈ通信する際のサーチ動作の手順を示すフローチャート。
【図１１】本発明の第４の実施の形態における、サーチを受けた携帯電話機が報知する動作の手順を示すフローチャート。
【図１２】従来の携帯電話機に用いられているＢｌｕｅｔｏｏｔｈテーブルの構成図。
【図１３】従来の携帯電話機が周辺の装置とＢｌｕｅｔｏｏｔｈ通信する際のサーチ動作の手順を示すフローチャート。
【符号の説明】
１、２０、２１、４０  携帯電話機（無線通信装置）
２、２２  アンテナ
３、２３  携帯電話無線部
４、２４  加入者ＩＤ記憶部
５、２５  電話帳テーブル
６、２６  制御部
７、２７  キー入力部
８、２８  ＬＣＤ
９、２９  アンテナ
１０、３０  Ｂｌｕｅｔｏｏｔｈ無線部
１１、１１０、３１、４１  Ｂｌｕｅｔｏｏｔｈテーブル
１１ａ、１１０ａ、４１ａ  デバイス名
１１ｂ、１１０ｂ、４１ｂ  アドレス
１１ｃ、１１０ｃ、４１ｃ  機器種別
１１ｄ、１１０ｄ、４１ｄ  対応サービス
１２、３２、４２  装置情報記憶部
【図１】
2004343219.tif 000003
【図２】
2004343219.tif 000004
【図３】
2004343219.tif 000005
【図４】
2004343219.tif 000006
【図５】
2004343219.tif 000007
【図６】
2004343219.tif 000008
【図７】
2004343219.tif 000009
【図８】
2004343219.tif 000010
【図９】
2004343219.tif 000011
【図１０】
2004343219.tif 000012
【図１１】
2004343219.tif 000013
【図１２】
2004343219.tif 000014
【図１３】
2004343219.tif 000015